(57)【要約】【課題】  移動局の位置情報や移動局における下り信号の受信品質に応じて、在圏基地局だけでなく隣接基地局からも同一の下り信号を送信することによって、移動局における下り信号の受信品質の向上や無線リソースの有効活用を図る。【解決手段】  本発明は、複数の基地局１０、２０を介して移動局１に対して同一の下り信号を送信することが可能な移動通信システムにおける無線制御装置１００に関する。無線制御装置１００は、移動局１における下り信号の受信品質を取得する取得部１００ａと、取得した受信品質に基づいて移動局１が在圏する在圏セルＣ１を管理する在圏基地局１０と在圏セルＣ１に隣接する隣接セルＣ２を管理する隣接基地局２０とを介して移動局１に対して同一の下り信号を送信するか否かについて決定する決定部１００ｂと、隣接基地局２０に対して下り信号を移動局に対して送信するように指示する指示部１００ｄとを具備する。【選択図】  図２
2005244963.tif 000002
【特許請求の範囲】
【請求項１】
複数の基地局を介して移動局に対して同一の下り信号を送信することが可能な移動通信システムにおける無線制御装置であって、
前記移動局における下り信号の受信品質を取得する取得部と、
取得した前記受信品質に基づいて、前記移動局が在圏する在圏セルを管理する在圏基地局と、該在圏セルに隣接する隣接セルを管理する隣接基地局とを介して、該移動局に対して同一の下り信号を送信するか否かについて決定する決定部と、
前記隣接基地局に対して前記下り信号を前記移動局に対して送信するように指示する指示部とを具備することを特徴とする無線制御装置。
【請求項２】
複数の基地局を介して移動局に対して同一の下り信号を送信することが可能な移動通信システムにおける無線制御装置であって、
前記移動局の位置情報を取得する取得部と、
取得した前記位置情報に基づいて、前記移動局が在圏する在圏セルを管理する在圏基地局と、該在圏セルに隣接する隣接セルを管理する隣接基地局とを介して、該移動局に対して同一の下り信号を送信するか否かについて決定する決定部と、
前記隣接基地局に対して前記下り信号を前記移動局に対して送信するように指示する指示部とを具備することを特徴とする無線制御装置。
【請求項３】
前記決定部は、前記位置情報に基づいて、前記移動局が所定領域に位置すると判断した場合に、前記在圏基地局及び前記隣接基地局を介して該移動局に対して同一の下り信号を送信するように決定することを特徴とする請求項２に記載の無線制御装置。
【請求項４】
複数の基地局を介して移動局に対して同一の下り信号を送信することが可能な移動通信システムにおける無線制御装置であって、
前記移動局における選択合成結果を取得する取得部と、
取得した前記選択合成結果に基づいて、前記移動局が在圏する在圏セルを管理する在圏基地局と、該在圏セルに隣接する隣接セルを管理する隣接基地局とを介して、該移動局に対して同一の下り信号を送信するか否かについて決定する決定部と、
前記隣接基地局に対して前記移動局に対する前記下り信号の送信を中止するように指示する指示部とを具備することを特徴とする無線制御装置。
【請求項５】
移動局において、該移動局が在圏する在圏セルを管理する在圏基地局を介して受信した下り信号の受信品質を測定する工程と、
無線制御装置において、前記移動局における前記受信品質を取得する工程と、
前記無線制御装置において、取得した前記受信品質に基づいて、前記在圏基地局と、前記在圏セルに隣接する隣接セルを管理する隣接基地局とを介して、前記移動局に対して同一の下り信号を送信するか否かについて決定する工程と、
前記無線制御装置において、前記隣接基地局に対して前記下り信号を前記移動局に対して送信するように指示する工程と、
前記移動局において、前記在圏基地局及び前記隣接基地局を介して受信した前記同一の下り信号について合成処理を行う工程とを有することを特徴とする移動通信制御方法。
【請求項６】
無線制御装置において、移動局の位置情報を取得する工程と、
前記無線制御装置において、取得した前記位置情報に基づいて、前記移動局が在圏する在圏セルを管理する在圏基地局と、前記在圏セルに隣接する隣接セルを管理する隣接基地局とを介して、該移動局に対して同一の下り信号を送信するか否かについて決定する工程と、
前記無線制御装置において、前記隣接基地局に対して前記下り信号を前記移動局に対して送信するように指示する工程と、
前記移動局において、前記在圏基地局及び前記隣接基地局を介して受信した前記同一の下り信号について合成処理を行う工程とを有することを特徴とする移動通信制御方法。
【請求項７】
移動局において、該移動局が在圏する在圏セルを管理する在圏基地局及び前記在圏セルに隣接する隣接セルを管理する隣接基地局を介して受信した同一の下り信号について選択合成処理を行う工程と、
無線制御装置において、前記移動局における前記選択合成結果を取得する工程と、
前記無線制御装置において、取得した前記選択合成結果に基づいて、前記在圏基地局及び前記隣接基地局を介して、前記移動局に対して前記同一の下り信号を送信するか否かについて決定する工程と、
前記無線制御装置において、前記隣接基地局に対して前記移動局に対する前記下り信号の送信を中止するように指示する工程とを有することを特徴とする移動通信制御方法。
【発明の詳細な説明】
【技術分野】
【０００１】
本発明は、複数の基地局を介して移動局に対して同一の下り信号を送信することが可能な移動通信システムにおける無線制御装置、及び該移動通信システムを制御するための移動通信制御方法に関する。
【背景技術】
【０００２】
従来のＰＤＣ（Ｐｅｒｓｏｎａｌ  Ｄｉｇｉｔａｌ  Ｃｅｌｌｕｌａｒ）システム等の第２世代移動通信システムでは、移動局が、通信中にセル（セクタ）間を移動する場合、ハンドオーバ元セル（セクタ）を管理する基地局との間の無線通信回線を解放した後に、ハンドオーバ先セル（セクタ）を管理する基地局との間で無線通信回線を設定する「ハードハンドオーバ方式」が採用されていた。
【０００３】
一方、ＣＤＭＡ（Ｃｏｄｅ  Ｄｉｖｉｓｉｏｎ  Ｍｕｌｔｉｐｌｅ  Ａｃｃｅｓｓ）方式の移動通信システムでは、移動局が、通信中にセル（セクタ）間を移動する場合、ハンドオーバ元セル（セクタ）を管理する基地局との間の無線通信回線を解放する前に、ハンドオーバ先セル（セクタ）を管理する基地局との間で無線通信回線を設定する「ダイバーシチハンドオーバ方式」が採用されている。
【０００４】
かかるダイバーシチハンドオーバ方式では、移動局は、セル（セクタ）間の境界付近の所定領域に位置する場合、当該セル（セクタ）を管理する複数の基地局との間で複数の無線通信回線を設定して通信を行うように構成されている。
【０００５】
また、かかるダイバーシチハンドオーバ方式では、移動局は、ダイバーシチハンドオーバ中において、複数の基地局から受信した複数の下り信号の受信品質（例えば、ＣＲＣチェック結果や受信電力や受信ＳＩＲ等）に対応した信頼度情報に基づいて、当該複数の下り信号に含まれる情報のうち、最も信頼性の高い情報を選択して受信する「選択合成処理」を行うように構成されている。
【非特許文献１】「Ｗ-ＣＤＭＡ移動通信システム」、立川敬二監修、丸善株式会社
【発明の開示】
【発明が解決しようとする課題】
【０００６】
しかしながら、上述のような従来の移動通信システムでは、移動局における下り信号の受信品質や移動局の位置情報によっては、複数の基地局から同一の下り信号を送信しても、当該移動局は、常に特定の下り信号内の情報を選択することとなり、選択されない他の下り信号の送信が無駄になるといった問題点があった。
【０００７】
また、上述のような従来の移動通信システムでは、ダイバーシチハンドオーバ中以外は、移動局が在圏する在圏セルに隣接する隣接セルを管理する隣接基地局からの下り信号が送信されないため、当該移動局は、在圏セルにおける下り信号の受信品質が悪い場合や、在圏セルの境界付近等の在圏基地局から遠く離れた位置に存在する場合であっても、下り信号についての選択合成処理を行うことができないという問題点があった。
【０００８】
そこで、本発明は、以上の点に鑑みてなされたもので、移動局の位置情報や移動局における下り信号の受信品質に応じて、在圏基地局だけでなく隣接基地局からも同一の下り信号を送信することによって、移動局における下り信号の受信品質の向上や無線リソースの有効活用を図ることが可能な無線制御装置及び移動通信制御方法を提供することを目的とする。
【課題を解決するための手段】
【０００９】
本発明の第１の特徴は、複数の基地局を介して移動局に対して同一の下り信号を送信することが可能な移動通信システムにおける無線制御装置であって、前記移動局における下り信号の受信品質を取得する取得部と、取得した前記受信品質に基づいて、前記移動局が在圏する在圏セルを管理する在圏基地局と該在圏セルに隣接する隣接セルを管理する隣接基地局とを介して、該移動局に対して同一の下り信号を送信するか否かについて決定する決定部と、前記隣接基地局に対して前記下り信号を前記移動局に対して送信するように指示する指示部とを具備することを要旨とする。
【００１０】
かかる発明によれば、移動局の在圏セルにおける下り信号の受信品質が悪い場合には、在圏基地局及び隣接基地局を介して同一の下り信号を送信することによって、移動局における選択合成処理（又は、最大比合成処理）を可能とし、移動局における下り信号の受信品質の向上を図ることができる。
【００１１】
本発明の第２の特徴は、複数の基地局を介して移動局に対して同一の下り信号を送信することが可能な移動通信システムにおける無線制御装置であって、前記移動局の位置情報を取得する取得部と、取得した前記位置情報に基づいて、前記移動局が在圏する在圏セルを管理する在圏基地局と該在圏セルに隣接する隣接セルを管理する隣接基地局とを介して、該移動局に対して同一の下り信号を送信するか否かについて決定する決定部と、前記隣接基地局に対して前記下り信号を前記移動局に対して送信するように指示する指示部とを具備することを要旨とする。
【００１２】
本発明の第２の特徴において、前記決定部が、前記位置情報に基づいて、前記移動局が所定領域に位置すると判断した場合に、前記在圏基地局及び前記隣接基地局を介して該移動局に対して同一の下り信号を送信するように決定してもよい。
【００１３】
かかる発明によれば、移動局が在圏セルの境界付近等の在圏基地局から遠く離れた位置（所定領域）に存在する場合には、在圏基地局及び隣接基地局を介して同一の下り信号を送信することによって、移動局における選択合成処理（又は、最大比合成処理）を可能とし、移動局における下り信号の受信品質の向上を図ることができる。
【００１４】
本発明の第３の特徴は、複数の基地局を介して移動局に対して同一の下り信号を送信することが可能な移動通信システムにおける無線制御装置であって、前記移動局における選択合成結果を取得する取得部と、取得した前記選択合成結果に基づいて、前記移動局が在圏する在圏セルを管理する在圏基地局と、該在圏セルに隣接する隣接セルを管理する隣接基地局とを介して、該移動局に対して同一の下り信号を送信するか否かについて決定する決定部と、前記隣接基地局に対して前記移動局に対する前記下り信号の送信を中止するように指示する指示部とを具備することを要旨とする。
【００１５】
かかる発明によれば、移動局が在圏基地局からの下り信号を連続して選択する場合に、隣接基地局を介した同一の下り信号の送信を中止することによって、無線リソースの有効活用を図ることができる。
【００１６】
本発明の第４の特徴は、移動局において該移動局が在圏する在圏セルを管理する在圏基地局を介して受信した下り信号の受信品質を測定する工程と、無線制御装置において前記移動局における前記受信品質を取得する工程と、前記無線制御装置において取得した前記受信品質に基づいて前記在圏基地局と前記在圏セルに隣接する隣接セルを管理する隣接基地局とを介して前記移動局に対して同一の下り信号を送信するか否かについて決定する工程と、前記無線制御装置において前記隣接基地局に対して前記下り信号を前記移動局に対して送信するように指示する工程と、前記移動局において前記在圏基地局及び前記隣接基地局を介して受信した前記同一の下り信号について合成処理を行う工程とを有する移動通信制御方法であることを要旨とする。
【００１７】
本発明の第５の特徴は、無線制御装置において移動局の位置情報を取得する工程と、前記無線制御装置において取得した前記位置情報に基づいて前記移動局が在圏する在圏セルを管理する在圏基地局と前記在圏セルに隣接する隣接セルを管理する隣接基地局とを介して該移動局に対して同一の下り信号を送信するか否かについて決定する工程と、前記無線制御装置において前記隣接基地局に対して前記下り信号を前記移動局に対して送信するように指示する工程と、前記移動局において前記在圏基地局及び前記隣接基地局を介して受信した前記同一の下り信号について合成処理を行う工程とを有する移動通信制御方法であることを要旨とする。
【００１８】
本発明の第６の特徴は、移動局において該移動局が在圏する在圏セルを管理する在圏基地局及び前記在圏セルに隣接する隣接セルを管理する隣接基地局を介して受信した同一の下り信号について選択合成処理を行う工程と、無線制御装置において前記移動局における前記選択合成結果を取得する工程と、前記無線制御装置において取得した前記選択合成結果に基づいて前記在圏基地局及び前記隣接基地局を介して前記移動局に対して前記同一の下り信号を送信するか否かについて決定する工程と、前記無線制御装置において前記隣接基地局に対して前記移動局に対する前記下り信号の送信を中止するように指示する工程とを有する移動通信制御方法であることを要旨とする。
【発明の効果】
【００１９】
以上説明したように、本発明によれば、移動局の位置情報や移動局における下り信号の受信品質に応じて、在圏基地局だけでなく隣接基地局からも同一の下り信号を送信することによって、移動局における下り信号の受信品質の向上や無線リソースの有効活用を図ることが可能な無線制御装置及び移動通信制御方法を提供することができる。
【発明を実施するための最良の形態】
【００２０】
図１に、本発明の各実施形態に係る移動通信システムの全体構成図を示す。各実施形態に係る移動通信システムは、図１に示すように、無線制御装置１００の配下に２つの基地局１０及び２０を具備しており、基地局１０は、セルＣ１を管理しており、基地局２０は、セルＣ２を管理している。
【００２１】
また、各実施形態に係る移動通信システムにおいて、移動局１乃至３が、基地局１０によって管理されているセルＣ１に在圏しているものとする。換言すると、基地局１０が、移動局１乃至３が在圏する在圏セルＣ１を管理する「在圏基地局」であり、基地局２０が、在圏セルＣ１に隣接する隣接セルＣ２に隣接する「隣接基地局」である。
【００２２】
なお、各実施形態で用いられる「セル」は、従来のセル及びセクタの双方の概念を含むものとする。また、各実施形態に係る移動通信システムにおいて、基地局１０及び２０は、複数のセルＣ１及びＣ２に在圏する移動局１乃至３に対して同一の下り信号を送信することができるように構成されている。また、移動局１乃至３は、複数の基地局（在圏基地局１０及び隣接基地局２０）から送信された同一の下り信号について合成処理（選択合成処理や最大比合成処理等）を行うことができるように構成されている。
【００２３】
以下、各実施形態において、複数の基地局１０及び２０を介して移動局１に対して同一の下り信号を送信する場合の例について説明する。
【００２４】
（本発明の第１の実施形態に係る移動通信システム）
図２及び図３を参照して、本発明の第１の実施形態に係る移動通信システムについて説明する。
【００２５】
図２に示すように、無線制御装置１００は、受信品質取得部１００ａと、決定部１００ｂと、隣接セル特定部１００ｃと、送信基地局指示部１００ｄとを具備している。
【００２６】
受信品質取得部１００ａは、移動局１における下り信号の受信品質を取得するものである。具体的には、受信品質取得部１００ａは、移動局１から一定周期で報告される下り信号の受信品質（例えば、ＣＲＣチェック結果や受信電力や受信ＳＩＲ等）を受信する。
【００２７】
決定部１００ｂは、受信品質取得部１００ａによって取得された移動局１における下り信号の受信品質に基づいて、在圏基地局（基地局１０）及び隣接基地局を介して、移動局１に対して同一の下り信号を送信するか否かについて決定するものである。
【００２８】
具体的には、決定部１００ｂは、移動局１における下り信号の受信品質が所定の受信品質を満たしていない場合、隣接基地局を介した移動局１に対する同一の下り信号の送信開始を決定する。
【００２９】
例えば、決定部１００ｂは、ＣＲＣチェックが所定回数（例えば、３回）失敗した場合や、共通パイロットチャネル（ＣＰＩＣＨ：Ｃｏｍｍｏｎ  ｐｉｌｏｔ  ｃｈａｎｎｅｌ）又はデータチャネルの電力対干渉比（Ｅｃ/Ｎ０、ＳＩＲ等）が所定閾値（例えば、−１０ｄＢ）を下回った場合や、受信電力（ＲＳＣＰ：Ｒｅｃｅｉｖｅｄ  ｓｉｇｎａｌ  ｃｏｄｅ  ｐｏｗｅｒ）が所定閾値（例えば、−１００ｄＢｍ等）を下回った場合等に、隣接基地局を介した移動局１に対する同一の下り信号の送信開始を決定する。
【００３０】
すなわち、決定部１００ｂは、移動局１における下り信号の受信品質が所定の受信品質を満たしている場合、隣接基地局を介して移動局１に対して同一の下り信号を送信する必要はないと決定する。
【００３１】
すなわち、決定部１００ｂは、移動局１における下り信号の受信品質が所定の受信品質を満たしている場合、隣接基地局を介して移動局１に対して同一の下り信号を送信する必要はないと決定する。
【００３２】
隣接セル特定部１００ｃは、決定部１００ｂによって隣接基地局を介した移動局１に対する同一の下り信号の送信開始が決定された場合、移動局１が在圏する在圏セルＣ１に隣接する隣接セルを管理する隣接基地局を特定するものである。本実施形態では、隣接基地局として、基地局２０が特定される。
【００３３】
送信基地局指示部１００ｄは、隣接セル特定部１００ｃによって特定された隣接基地局（基地局２０）に対して、上述の下り信号を移動局１に対して送信するように指示するものである。
【００３４】
以下、図３を参照して、本実施形態に係る移動通信システムの動作について説明する。
【００３５】
図３に示すように、ステップＳ１００１において、無線制御装置１００は、移動局１が在圏する在圏セルＣ１を管理する在圏基地局（基地局１０）に対して下り信号を送信し、ステップＳ１００２において、基地局１０は、無線通信回線を介して当該下り信号を移動局１に対して送信する。
【００３６】
移動局１は、ステップＳ１００３において、受信した下り信号の受信品質を測定し、ステップＳ１００４及びＳ１００５において、測定した受信品質を一定周期で無線制御装置１００に報告する。
【００３７】
ステップＳ１００６において、無線制御装置１００は、受信した移動局１における下り信号の受信品質が所定の受信品質を満たしていると判断する場合、在圏基地局（基地局１０）及び隣接基地局を介して、移動局１に対して同一の下り信号を送信するように決定する。
【００３８】
ステップＳ１００７において、無線制御装置１００は、移動局１が在圏する在圏セルＣ１に隣接する隣接セル（セルＣ２）を管理する隣接基地局（基地局２０）を特定する。
【００３９】
ステップＳ１００８において、無線制御装置１００は、在圏基地局１０及び隣接基地局２０に対して、同一の下り信号を送信する。ここで、無線制御装置１００は、隣接基地局２０に対して当該下り信号を移動局１に対して送信するように指示する。
【００４０】
ステップＳ１００９において、隣接基地局２０は、受信した下り信号を、無線通信回線を介して移動局１に送信し、ステップＳ１０１０において、在圏基地局１０は、受信した下り信号を、無線通信回線を介して移動局１に送信する。
【００４１】
ステップＳ１０１１において、移動局１は、在圏基地局１０及び隣接基地局２０を介して受信した同一の下り信号について選択合成（又は、最大比合成）を行う。
【００４２】
本実施形態に係る移動通信システムによれば、移動局１の在圏セルＣ１における下り信号の受信品質が悪い場合には、在圏基地局１０及び隣接基地局２０を介して同一の下り信号を送信することによって、移動局１における選択合成処理（又は、最大比合成処理）を可能とし、移動局１における下り信号の受信品質の向上を図ることができる。
【００４３】
（本発明の第２の実施形態に係る移動通信システム）
図４及び図５を参照して、本発明の第２の実施形態に係る移動通信システムについて説明する。以下、本実施形態に係る移動通信システムについて、上述の第１の実施形態に係る移動通信システムとの相違点を主として説明する。
【００４４】
図４に示すように、本実施形態に係る無線制御装置１００は、上述の第１の実施形態に係る無線制御装置１００における受信品質取得部１００ａの代わりに、位置情報取得部１００ｅを具備している。
【００４５】
位置情報取得部１００ｅは、移動局１の位置情報を取得するものである。例えば、位置情報取得部１００ｅは、基地局１０から移動局１に到達する電波の時間差や方位等を利用して移動局１の位置情報を取得してもよいし、ＧＰＳを利用して移動局１の位置情報（緯度・経度情報）を取得してもよい。また、位置情報取得部１００ｅは、一定周期で移動局１の位置情報を取得してもよいし、移動局１が在圏セルＣ１内の所定領域に進入した場合（及び、離れた場合）に移動局１の位置情報を取得してもよい。
【００４６】
決定部１００ｂは、位置情報取得部１００ｅによって取得された移動局１の位置情報に基づいて、在圏基地局（基地局１０）及び隣接基地局を介して、移動局１に対して同一の下り信号を送信するか否かについて決定するものである。
【００４７】
具体的には、決定部１００ｂは、移動局１の位置情報に基づいて、移動局１が所定領域に位置すると判断した場合に、在圏基地局（基地局１０）及び隣接基地局を介して移動局１に対して同一の下り信号を送信するように決定する。
【００４８】
ここで、決定部１００ｂは、位置情報取得部１００ｅによって取得された緯度・経度情報に基づいて移動局１の位置を判断するように構成されていてもよいし、３つ以上の基地局に到達した移動局１からの信号に基づいて移動局１の位置を推定するように構成されていてもよい。
【００４９】
また、決定部１００ｂは、３つ以上の基地局からの信号に基づいて移動局によって算出され、無線制御装置１００に対して報告された位置情報に従って、移動局１の位置を判断するように構成されていてもよい。
【００５０】
なお、所定領域としては、在圏セルＣ１の境界付近の領域（例えば、在圏セルＣ１の境界から所定距離以内の領域）が設定され得る。
【００５１】
以下、図５を参照して、本実施形態に係る移動通信システムの動作について説明する。
【００５２】
図５に示すように、ステップＳ２００１において、無線制御装置１００は、移動局１が在圏する在圏セルＣ１を管理する在圏基地局（基地局１０）に対して下り信号を送信し、ステップＳ２００２において、基地局１０は、無線通信回線を介して当該下り信号を移動局１に対して送信する。
【００５３】
移動局１は、ステップＳ２００３において、在圏セルＣ１内の所定領域に進入し、ステップＳ２００４及びＳ２００５において、移動局１の位置情報を無線制御装置１００に報告する。
【００５４】
ステップＳ２００６において、無線制御装置１００は、受信した移動局１の位置情報に基づいて、移動局１が所定領域に位置すると判断する場合、在圏基地局（基地局１０）及び隣接基地局を介して、移動局１に対して同一の下り信号を送信するように決定する。
【００５５】
ステップＳ２００７において、無線制御装置１００は、移動局１が在圏する在圏セルＣ１に隣接する隣接セル（セルＣ２）を管理する隣接基地局（基地局２０）を特定する。
【００５６】
ステップＳ２００８において、無線制御装置１００は、在圏基地局１０及び隣接基地局２０に対して、同一の下り信号を送信する。ここで、無線制御装置１００は、隣接基地局２０に対して当該下り信号を移動局１に対して送信するように指示する。
【００５７】
ステップＳ２００９において、隣接基地局２０は、受信した下り信号を、無線通信回線を介して移動局１に送信し、ステップＳ２０１０において、在圏基地局１０は、受信した下り信号を、無線通信回線を介して移動局１に送信する。
【００５８】
ステップＳ２０１１において、移動局１は、在圏基地局１０及び隣接基地局２０を介して受信した同一の下り信号について選択合成（又は、最大比合成）を行う。
【００５９】
本実施形態に係る移動通信システムによれば、移動局が在圏セルの境界付近等の在圏基地局から遠く離れた位置（所定領域）に存在する場合には、在圏基地局１０及び隣接基地局２０を介して同一の下り信号を送信することによって、移動局１における選択合成処理（又は、最大比合成処理）を可能とし、移動局１における下り信号の受信品質の向上を図ることができる。
【００６０】
（本発明の第３の実施形態に係る移動通信システム）
図６及び図７を参照して、本発明の第３の実施形態に係る移動通信システムについて説明する。以下、本実施形態に係る移動通信システムについて、上述の第１の実施形態に係る移動通信システムとの相違点を主として説明する。
【００６１】
図６に示すように、本実施形態に係る無線制御装置１００は、上述の第１の実施形態に係る無線制御装置１００における受信品質取得部１００ａの代わりに、選択合成結果取得部１００ｅを具備している。
【００６２】
選択合成結果取得部１００ｅは、移動局１における選択合成結果を取得するものである。具体的には、選択合成結果取得部１００ｅは、移動局１における選択合成処理において選択した下り情報を含む下り信号を送信した基地局（例えば、在圏基地局１０又は隣接基地局２０）を取得する。
【００６３】
選択合成結果取得部１００ｅは、一定周期で能動的に上述の選択合成結果を取得するように構成されていてもよいし、移動局１から送信された上述の選択合成結果を取得するように構成されていてもよい。
【００６４】
決定部１００ｂは、選択合成結果取得部１００ｅによって取得された移動局１の選択合成結果に基づいて、在圏基地局１０及び隣接基地局２０を介して、移動局１に対して同一の下り信号を送信するか否かについて決定するものである。
【００６５】
例えば、移動局１が所定領域から離れた場合や、移動局１と隣接基地局２０との間の通信状況が悪くなった場合（又は、中断された場合）で、在圏基地局１０及び隣接基地局２０を介して移動局１に対して同一の下り信号を送信しているが、移動局１が、在圏基地局１０を介して受信した下り信号に含まれる下り情報を所定回数（例えば、３回）連続して選択している場合、決定部１００ｂは、隣接基地局２０を介した移動局１に対する下り信号の送信を中止するように決定する。
【００６６】
また、決定部１００ｂは、データチャネルの選択合成後の誤り率が所定閾値を下回った場合や、特定基地局からの信号を送信しなくても十分な受信電力を他の基地局から受信できる場合等に、隣接基地局２０を介した移動局１に対する下り信号の送信を中止するように決定するように構成されていてもよい。
【００６７】
送信基地局指示部１００ｄは、現在、下り信号を送信している隣接基地局２０に対して、移動局１に対する下り信号の送信を中止するように指示するものである。
【００６８】
以下、図７を参照して、本実施形態に係る移動通信システムの動作について説明する。
【００６９】
図７に示すように、ステップＳ３００１において、無線制御装置１００は、在圏基地局１０及び隣接基地局２０に対して、同一の下り信号を送信する。ステップＳ３００２において、隣接基地局２０は、受信した下り信号を、無線通信回線を介して移動局１に送信し、ステップＳ３００３において、在圏基地局１０は、受信した下り信号を、無線通信回線を介して移動局１に送信する。
【００７０】
ステップＳ３００４において、移動局１は、在圏基地局１０及び隣接基地局２０から受信した下り信号について選択合成処理を行う。図７の例では、移動局１は、在圏基地局１０から受信した下り信号に含まれる下り情報を受信情報として選択する。
【００７１】
ステップＳ３００５及びＳ３００６において、移動局１は、ステップＳ３００４における選択合成結果、すなわち、在圏基地局１０から受信した下り信号に含まれる下り情報を受信情報として選択した旨を無線制御装置１００に対して報告する。
【００７２】
なお、移動局１は、一定周期で上述の選択合成結果を報告するように構成されていてもよいし、所定回数連続して同一の基地局からの下り信号に含まれる下り情報を受信情報として選択した場合に上述の選択合成結果を報告するように構成されていてもよい。
【００７３】
ステップＳ３００７において、無線制御装置１００は、移動局１の選択合成結果に基づいて、在圏基地局１０及び隣接基地局２０を介して、移動局１に対して同一の下り信号を送信するか否かについて決定する。
【００７４】
図７の例では、無線制御装置１００は、移動局１が在圏基地局１０を介して受信した下り信号に含まれる下り情報を３回連続して選択しているので、隣接基地局２０を介した移動局１に対する下り信号の送信を中止するように決定する。
【００７５】
ステップＳ３００８において、無線制御装置１００は、隣接基地局２０に対して、移動局１に対する下り信号の送信を中止するように指示する。
【００７６】
本実施形態に係る移動通信システムによれば、移動局１が在圏基地局１０からの下り信号を連続して選択する場合に、隣接基地局２０を介した同一の下り信号の送信を中止することによって、無線リソースの有効活用を図ることができる。
【図面の簡単な説明】
【００７７】
【図１】本発明の各実施形態に係る移動通信システムの全体構成図である。
【図２】本発明の第１の実施形態に係る無線制御装置の機能ブロック図である。
【図３】本発明の第１の実施形態に係る移動通信制御方法を示すシーケンス図である。
【図４】本発明の第２の実施形態に係る無線制御装置の機能ブロック図である。
【図５】本発明の第２の実施形態に係る移動通信制御方法を示すシーケンス図である。
【図６】本発明の第３の実施形態に係る無線制御装置の機能ブロック図である。
【図７】本発明の第３の実施形態に係る移動通信制御方法を示すシーケンス図である。
【符号の説明】
【００７８】
Ｃ１、Ｃ２…セル
１、２、３…移動局
１０、２０…基地局
１００…無線制御装置
１００ａ…受信品質取得部
１００ｂ…決定部
１００ｃ…隣接セル特定部
１００ｄ…送信基地局指示部
１００ｅ…位置情報取得部
１００ｆ…選択合成結果取得部
【図１】
2005244963.tif 000003
【図２】
2005244963.tif 000004
【図３】
2005244963.tif 000005
【図４】
2005244963.tif 000006
【図５】
2005244963.tif 000007
【図６】
2005244963.tif 000008
【図７】
2005244963.tif 000009